(57)【要約】【課題】書き込み可能な光ディスク１０及び光記録再生装置の特性ばらつきの影響に起因する再生信号品質劣化を低減し得る光記録条件設定方法、光記録再生装置を提供する。【解決手段】光ヘッド１１からのレーザビーム４４の記録条件を変化させて、光ディスク１０上に試し書きを行い、試し書きされた情報を再生し、再生信号品質が良好となる記録条件を選択するための制御部２０を設ける。制御部２０は、標準記録条件である標準記録パワーＰｗ０と標準消去パワーＰｅ０の比をＰｅ０／Ｐｗ０としたとき、記録パワーが標準記録パワーより大きい場合は記録パワーと消去パワーの比がＰｅ０／Ｐｗ０よりも小さくなるように試し書きに使用する記録条件を設定するようになっている。【選択図】  図１
2005011406.tif 000002
【特許請求の範囲】
【請求項１】
記録条件を変化させて、光ディスク上に試し書きを行い、試し書きされた情報を再生し、再生信号品質が良好となる記録条件を選択する光記録再生装置の光記録条件設定方法において、
記録パワー及び消去パワーの少なくとも一方の大きさに依存した記録消去パワー比を用いて試し書きの記録条件及び消去条件の少なくとも一方を設定することを特徴とする光記録条件設定方法。
【請求項２】
請求項１に記載の光記録条件設定方法において、
記録パワーと標準記録パワー、及び、消去パワーと標準消去パワーの少なくとも一方の値を比較するステップを有し、
比較結果に基づいて標準記録消去パワー比（標準消去パワー／標準記録パワー）の値を調整した記録パワーと消去パワーの比から試し書きの記録条件及び消去条件の少なくとも一方を設定することを特徴とする光記録条件設定方法。
【請求項３】
請求項１又は２に記載の光記録条件設定方法において、
記録パワーの大きさが標準記録パワーを超える場合、記録パワーと消去パワーの比を標準記録消去パワー比未満になるように試し書きに使用する記録条件及び消去条件の少なくとも一方を設定することを特徴とする光記録条件設定方法。
【請求項４】
請求項１ないし３の何れかに記載の光記録条件設定方法において、
記録パワーの大きさが標準記録パワー未満の場合、記録パワーと消去パワーの比が標準記録消去パワー比を超えるように試し書きに使用する記録条件及び消去条件の少なくとも一方を設定することを特徴とする光記録条件設定方法。
【請求項５】
記録条件を変化させて、光ディスク上に試し書きを行い、試し書きされた情報を再生し、再生信号品質が良好となる記録条件を選択する光記録再生装置の光記録条件設定方法において、
試し書きに使用する記録パワー及び消去パワーを設定して試し書きを行い、試し書きされた情報を再生し、再生信号が所望の条件を満たさない場合は、記録パワー及び消去パワーの少なくとも一方の大きさに依存した記録パワーと消去パワーとの比を用いて試し書きの記録条件及び消去条件の少なくとも一方を設定することを特徴とする光記録条件設定方法。
【請求項６】
請求項５に記載の光記録条件設定方法において、
試し書きに使用する記録パワー及び消去パワーを設定して試し書きを行い、
試し書きされた情報を再生し、
再生信号が所望の条件を満たさない場合は、記録パワーと標準記録パワーとの値、及び、消去パワーと標準消去パワーとの値の少なくとも一方を比較するステップを有し、
比較結果に基づいて標準記録パワーと標準消去パワーとの比の値を調整した記録パワーと消去パワーとの比から試し書きの記録条件及び消去条件の少なくとも一方を設定することを特徴とする光記録条件設定方法。
【請求項７】
前記所望の条件を満たさないとは、再生信号品質が所望値よりも悪い場合であることを特徴とする請求項５又は６に記載の光記録条件設定方法。
【請求項８】
前記所望の条件を満たさないとは、再生信号振幅が所望値よりも小さい場合であることを特徴とする請求項５又は６に記載の光記録条件設定方法。
【請求項９】
記録条件を変化させて、光ディスク上に試し書きを行い、試し書きされた情報を再生し、再生信号品質が良好となる記録条件を選択する光記録再生装置の光記録条件設定方法において、
少なくとも一度行われた試し書きで得られた記録条件及び消去条件の少なくとも一方に対して、所定演算を加え、
演算で得られた記録パワー及び消去パワーの少なくとも一方の大きさに依存した記録パワーと消去パワーとの比を用いて、好適記録条件及び好適消去条件の少なくとも一方を設定することを特徴とする光記録条件設定方法。
【請求項１０】
光ディスク上に予め記録されている記録条件及び消去条件の少なくとも一方に対して、所定演算を加え、
演算で得られた記録パワー及び消去パワーの少なくとも一方の大きさに依存した記録パワーと消去パワーとの比を用いて、好適記録条件及び好適消去条件の少なくとも一方を設定することを特徴とする光記録条件設定方法。
【請求項１１】
請求項９又は１０に記載の光記録条件設定方法において、
演算で得られた記録パワーと標準記録パワーとの値を比較する、及び、演算で得られた消去パワーと標準消去パワーとの値を比較する、少なくとも一方のステップを有し、
比較結果に基づいて標準記録パワーと標準消去パワーとの比（標準消去パワー／標準記録パワー）の値を調整した記録パワーと消去パワーの比から記録条件及び消去条件の少なくとも一方を設定することを特徴とする光記録条件設定方法。
【請求項１２】
請求項１乃至１１の何れかに記載の光記録条件設定方法において、
少なくとも一度行われた試し書きで得られた記録条件に基づいて、標準記録パワー、標準消去パワー、及び、標準記録パワーと標準消去パワーとの比の値を設定することを特徴とする光記録条件設定方法。
【請求項１３】
請求項１乃至１１の何れかに記載の光記録条件設定方法において、
光ディスク上に予め記録されている情報に基づいて、標準記録パワー、標準消去パワー、及び、標準記録パワーと標準消去パワーとの比の値を設定することを特徴とする光記録条件設定方法。
【請求項１４】
記録条件を変化させて、光ディスク上に試し書きを行う記録条件試し書き手段と、
記録条件試し書き手段により試し書きされた情報を再生し、再生信号を検出する再生信号検出手段と、
再生信号品質が良好となる記録条件を選択する選択手段とを備え、
上記記録条件試し書き手段は、記録パワー及び消去パワーの少なくとも一方の大きさに依存した記録パワーと消去パワーとの比を用いて、試し書きの記録条件及び消去条件の少なくとも一方を設定することを特徴とする光記録再生装置。
【請求項１５】
請求項１４に記載の光記録再生装置において、
上記記録条件試し書き手段は、記録パワーと標準記録パワーとの各値の比較、及び、消去パワーと標準消去パワーとの各値の比較の少なくとも一方を実行する比較手段を有し、比較結果に基づいて標準記録パワーと標準消去パワーとの比（標準消去パワー／標準記録パワー）の値を調整した記録パワーと消去パワーとの比から試し書きの記録条件及び消去条件の少なくとも一方を設定するようになっていることを特徴とする光記録再生装置。
【請求項１６】
請求項１４又は１５に記載の光記録再生装置において、
上記記録条件試し書き手段は、記録パワーの大きさが標準記録パワーを超える場合、記録パワーと消去パワーとの比を標準記録パワーと標準消去パワーとの比未満になるように試し書きに使用する記録条件及び消去条件の少なくとも一方を設定するようになっていることを特徴とする光記録再生装置。
【請求項１７】
請求項１４ないし１６の何れかに記載の光記録再生装置において、
記録パワーの大きさが標準記録パワー未満の場合、記録パワーと消去パワーとの比が標準記録パワーと消去パワーとの比を超えるように、試し書きに使用する記録条件及び消去条件の少なくとも一方を設定することを特徴とする光記録条件設定装置。
【請求項１８】
記録条件を変化させて、光ディスク上に試し書きを行う記録条件試し書き手段と、
記録条件試し書き手段により試し書きされた情報を再生し、再生信号を検出する再生信号検出手段と、
再生信号品質が良好となる記録条件を選択する選択手段とを備え、
上記記録条件試し書き手段は、試し書きに使用する記録パワー及び消去パワーを設定して試し書きを行い、試し書きされた情報を再生し、再生信号が所望の条件を満たさない場合は、記録パワー及び消去パワーの少なくとも一方の大きさに依存した記録パワーと消去パワーとの比を用いて、試し書きの記録条件及び消去条件の少なくとも一方を設定することを特徴とする光記録再生装置。
【請求項１９】
請求項１８に記載の光記録再生装置において、
上記記録条件試し書き手段は、試し書きに使用する記録パワー及び消去パワーを設定して試し書きを行い、試し書きされた情報を再生し、再生信号が所望の条件を満たさない場合は、記録パワーと標準記録パワーの各値の比較、及び、消去パワーと標準消去パワーとの各値の比較の少なくとも一方を実行する比較手段を有し、比較結果に基づいて標準記録パワーと標準消去パワーとの比の値を調整した記録パワーと消去パワーとの比から試し書きの記録条件及び消去条件の少なくとも一方を設定することを特徴とする光記録再生装置。
【請求項２０】
前記再生信号が所望の条件を満たさないとは、再生信号品質が所望値よりも悪い場合であることを特徴とする請求項１８又は１９に記載の光記録再生装置。
【請求項２１】
前記再生信号が所望の条件を満たさないとは、再生信号振幅が所望値よりも小さい場合であることを特徴とする請求項１８又は１９に記載の光記録再生装置。
【請求項２２】
記録条件を変化させて、光ディスク上に試し書きを行う記録条件試し書き手段と、
記録条件試し書き手段により試し書きされた情報を再生し、再生信号を検出する再生信号検出手段と、
再生信号品質が良好となる記録条件を選択する選択手段とを備え、
上記選択手段は、少なくとも一度行われた試し書きで得られた記録条件及び消去条件の少なくとも一方に対して、所定演算を加えて、最適記録条件及び最適消去条件の少なくとも一方を設定するときに、
演算で得られた記録パワー及び消去パワーの少なくとも一方の大きさに依存した記録パワーと消去パワーとの比を用いて記録条件及び消去条件の少なくとも一方を設定することを特徴とする光記録再生装置。
【請求項２３】
記録条件を変化させて、光ディスク上に試し書きを行う記録条件試し書き手段と、
記録条件試し書き手段により試し書きされた情報を再生し、再生信号を検出する再生信号検出手段と、
再生信号品質が良好となる記録条件を選択する選択手段とを備え、
上記選択手段は、光ディスク上に予め記録されている記録条件及び消去条件の少なくとも一方に対して、所定演算を加え、最適記録条件及び最適消去条件の少なくとも一方を設定するとき、
演算で得られた記録パワー及び消去パワーの少なくとも一方の大きさに依存した記録パワーと消去パワーとの比を用いて記録条件及び消去条件の少なくとも一方を設定することを特徴とする光記録再生装置。
【請求項２４】
請求項２２又は２３に記載の光記録再生装置において、
演算で得られた記録パワーと標準記録パワーとの各値の比較、及び、演算で得られた消去パワーと標準消去パワーとの各値の比較の少なくとも一方を実行する比較手段を有し、比較結果に基づいて標準記録パワーと標準消去パワーとの比（標準消去パワー／標準記録パワー）の値を調整した記録パワーと消去パワーとの比から記録条件及び消去条件の少なくとも一方を設定することを特徴とする光記録再生装置。
【請求項２５】
請求項１４乃至２４の何れかに記載の光記録再生装置において、
少なくとも一度行われた試し書きで得られた記録条件に基づいて、標準記録パワー、標準消去パワー、及び、標準記録パワーと標準消去パワーとの比の値が設定されていることを特徴とする光記録再生装置。
【請求項２６】
請求項１４乃至２４の何れかに記載の光記録再生装置において、
光ディスク上に予め記録されている情報に基づいて、標準記録パワー、標準消去パワー、及び、標準記録パワーと標準消去パワーとの比の値が設定されていることを特徴とする光記録再生装置。
【請求項２７】
請求項１４乃至２６の何れかに記載の光記録再生装置を動作させる制御プログラムであって、コンピュータを前記光記録再生装置の各手段として機能させることを特徴とする制御プログラム。
【請求項２８】
請求項２７に記載の制御プログラムを記録したことを特徴とするコンピュータ読み取り可能な記録媒体。
【発明の詳細な説明】
【０００１】
【発明の属する技術分野】
本発明は、光ディスク等の記録媒体に対する光記録条件設定方法、光記録再生装置、制御プログラム、及び記録媒体に関するものである。
【０００２】
【従来の技術】
ディスク等の記録媒体に対してレーザ光を照射してデータの記録を行う機器が各種実現されている。例えば光ディスク記録媒体としてＣＤやＤＶＤなどのディスクなどが開発されており、これらの光ディスクに対応する記録装置では、光ディスク上のトラックに対して記録データによって変調されたレーザ光を照射し、例えば相変化記録媒体に対してデータの記録を行う。
【０００３】
ところで、このようにレーザ光によりデータ記録を行う場合には、レーザ光のパワー、具体的には、記録パワーや消去パワーが適切な値に設定されていなければならない。
【０００４】
しかし、光ディスクの記録再生装置を量産したとき、使用部品の特性ばらつきや環境変化等により、個々の装置が常に同一の特性を有するとは限らない。同様に、光ディスク自体も量産時に、特性ばらつきが発生し、同一の記録条件で記録しても個々の光ディスクで常に同じマーク形状が得られるとは限らない。
【０００５】
したがって、標準的な特性を有する基準ディスクを用い、かつ標準的な特性を有する基準装置で決定された標準記録条件であったとしても、特性のばらついた量産した光ディスクと装置とをそのまま使用すると、組み合わせによっては適正な記録再生が行われず、品質不良が発生するという課題がある。
【０００６】
上記課題を解決するために、通常、記録装置では、試し書きを行い最適記録条件の判別動作が行われる。この試し書き動作は、ディスク上に用意された試し書き領域（テスト領域）に対して記録条件を変化させながらレーザ照射を行って試し書きを行い、その試し書き部分の再生信号品質（例えばジッタレベル等）を監視することで、最適な記録条件を判別する動作となる。この試し書き動作により、記録時に最適な記録条件による記録動作が実現できる。
【０００７】
試し書き動作において、記録パワー、消去パワーをそれぞれ各種の組み合わせで変化させて試し書きを行い、最適な組み合わせを判別する場合、組み合わせの数は非常に多くなる。従って最適な組み合わせを精度良く判別しようとすれば、試し書き動作にかなりの時間がかかってしまうことになる。
【０００８】
この解決方法として、特許文献１には、まず記録パワーと消去パワーの比を求め、その比を利用して記録パワーと消去パワーを変化させることで最適な記録条件を求める方法が開示されている。
【０００９】
この方法では、一定比が保たれるような記録パワーと消去パワーの組み合わせを用いるため、試し書きを行うためのパワーの組み合わせの数がさほど多数にはならない。
【００１０】
【特許文献１】
特開２０００−２５１２５６号公報（２０００年９月１４日公開）
【００１１】
【発明が解決しようとする課題】
しかし、一定比を保ちながら記録パワーと消去パワーを変化させて記録を行うと、高いパワーにおいて再生信号品質の悪化が生じる。これは、記録パワーと消去パワーの両者が大きくなることによって、記録マークが形成されるために必要な冷却が不足するためである。
【００１２】
この悪化は、良好な記録マークを形成できる記録条件に近い条件で生じることがある。そのため、試し書きにより良好な条件として設定された記録条件で記録を行っていたとしても、装置において環境変化等が生じた場合に記録状態が悪化して再生信号品質の劣化が生じる可能性があるという問題を有している。
【００１３】
また、低いパワーの記録条件の範囲において、記録パワーと消去パワーを変化させて試し書きをし、検出したパワーに各種マージンを考慮し、所定量のパワーを上乗せする等の所定演算を加えて、最適記録条件を設定する場合などは、高いパワー記録条件において、前述と同様に再生信号品質の劣化が生じる可能性があるという問題を有している。
【００１４】
本発明は、上記従来の問題点に鑑みなされたものであって、その目的は、書き込み可能な光ディスク及び光記録再生装置の特性ばらつきの影響による再生信号品質の劣化を低減し得る光記録条件設定方法、光記録再生装置、制御プログラム、及び記録媒体を提供することにある。
【００１５】
【課題を解決するための手段】
本発明の光記録条件設定方法は、上記課題を解決するために、記録条件を変化させて、光ディスク上に試し書きを行い、試し書きされた情報を再生し、再生信号品質が良好となる記録条件を選択する光記録再生装置の光記録条件設定方法において、標準記録条件である標準記録パワー（Ｐｗ０）と標準消去パワー（Ｐｅ０）との比を（Ｐｅ０／Ｐｗ０）としたとき、記録パワーによって、記録パワーと消去パワーとの比を（Ｐｅ０／Ｐｗ０）から変化させて試し書きに使用する記録条件を設定することを特徴とする。
【００１６】
また、本発明の他の光記録条件設定方法は、上記課題を解決するために、記録条件を変化させて、光ディスク上に試し書きを行い、試し書きされた情報を再生し、再生信号品質が良好となる記録条件を選択する光記録再生装置の光記録条件設定方法において、標準記録条件である標準記録パワー（Ｐｗ０）と標準消去パワー（Ｐｅ０）の比を（Ｐｅ０／Ｐｗ０）としたとき、記録パワーが標準記録パワーより大きい（標準記録パワーを超える）場合は記録パワーと消去パワーの比が（Ｐｅ０／Ｐｗ０）よりも小さくなるように試し書きに使用する記録条件を設定し、それ以外の場合は記録パワーと消去パワーの比が（Ｐｅ０／Ｐｗ０）となるように試し書きに使用する記録条件を設定することを特徴としている。
【００１７】
また、本発明の光記録再生装置は、上記課題を解決するために、記録条件を変化させて、光ディスク上に試し書きを行う記録条件試し書き手段と、記録条件試し書き手段により試し書きされた情報を再生し、再生信号を検出する再生信号検出手段と、再生信号品質が良好となる記録条件を選択する選択手段とを備え、上記記録条件試し書き手段は、標準記録条件である標準記録パワー（Ｐｗ０）と標準消去パワー（Ｐｅ０）の比を（Ｐｅ０／Ｐｗ０）としたとき、記録パワーが標準記録パワーより大きい場合は記録パワーと消去パワーの比が（Ｐｅ０／Ｐｗ０）よりも小さくなるように試し書きに使用する記録条件を設定し、それ以外の場合は記録パワーと消去パワーの比が（Ｐｅ０／Ｐｗ０）となるように試し書きに使用する記録条件を設定するようになっていることを特徴としている。
【００１８】
上記の発明によれば、記録条件試し書き手段が、記録条件を変化させて、光ディスク上に試し書きを行う。また、再生信号検出手段は、記録条件試し書き手段により試し書きされた情報を再生し、再生信号を検出する。さらに、選択手段が、再生信号品質の良くなる記録条件を選択する。
【００１９】
ところで、標準記録パワー（Ｐｗ０）と標準消去パワー（Ｐｅ０）とを用い、一定比（消去パワー／記録パワー＝Ｐｅ０／Ｐｗ０）を保ちながら記録パワーと消去パワーを変化させて記録した場合、高記録パワー付近で再生信号品質が劣化する。これは、記録パワーと消去パワーの両者が大きくなることによって、記録マークが形成されるために必要な冷却が不足するためである。再生信号品質の劣化は、良好な記録マークを形成できる記録条件に近い条件で生じることがあり、試し書きにより良好な条件として設定された記録条件で記録を行っていたとしても、装置において環境変化等や、記録パルス幅の変動が生じた場合に記録状態が悪化する可能性がある。
【００２０】
しかし、本発明では、記録条件（記録パワー、消去パワー）が大きい場合には、標準記録条件から、記録パワーと消去パワーの比（消去パワー／記録パワー）を小さくするように設定し、試し書きを行うため、再生信号品質の悪化を低減し、良好な記録条件を得ることができる。すなわち、書き込み可能な光ディスク及び光ディスク装置の特性ばらつきの影響を低減することができる。
【００２１】
また、本発明のさらに他の光記録条件設定方法は、上記課題を解決するために、記録条件を変化させて、光ディスク上に試し書きを行い、試し書きされた情報を再生し、再生信号品質が良好となる記録条件を選択する光記録再生装置の光記録条件設定方法において、標準記録条件である標準記録パワー（Ｐｗ０）と標準消去パワー（Ｐｅ０）との比を（Ｐｅ０／Ｐｗ０）としたとき、記録パワーが標準記録パワー以上の場合は記録パワーと消去パワーとの比が（Ｐｅ０／Ｐｗ０）以下となるように試し書きに使用する記録条件を設定し、それ以外の場合は記録パワーと消去パワーの比が（Ｐｅ０／Ｐｗ０）よりも大きくなるように試し書きに使用する記録条件を設定することを特徴としている。
【００２２】
また、本発明のさらに他の光記録再生装置は、上記課題を解決するために、記録条件を変化させて、光ディスク上に試し書きを行う記録条件試し書き手段と、記録条件試し書き手段により試し書きされた情報を再生し、再生信号を検出する再生信号検出手段と、再生信号品質が良好となる記録条件を選択する選択手段とを備え、上記記録条件試し書き手段は、標準記録条件である標準記録パワー（Ｐｗ０）と標準消去パワー（Ｐｅ０）との比を（Ｐｅ０／Ｐｗ０）としたとき、記録パワーが標準記録パワー以上の場合は記録パワーと消去パワーの比が（Ｐｅ０／Ｐｗ０）以下となるように試し書きに使用する記録条件を設定し、それ以外の場合は記録パワーと消去パワーの比が（Ｐｅ０／Ｐｗ０）よりも大きくなるように試し書きに使用する記録条件を設定することを特徴とする。
【００２３】
上記の発明によれば、記録条件（記録パワー、消去パワー）が標準より小さい場合には、標準記録条件である記録パワーと消去パワーの比（消去パワー／記録パワー）を大きくなるように設定し、試し書きを行うため、再生信号品質の悪化を低減し、良好な記録条件を得ることができる。すなわち、書き込み可能な光ディスク及び光ディスク装置の特性ばらつきの影響を低減することができる。
【００２４】
また、本発明のさらに他の光記録条件設定方法は、上記課題を解決するために、記録条件を変化させて、光ディスク上に試し書きを行い、試し書きされた情報を再生し、再生信号品質が良好となる記録条件を選択する光記録再生装置の光記録条件設定方法において、標準記録条件である標準記録パワー（Ｐｗ０）と標準消去パワー（Ｐｅ０）の比を（Ｐｅ０／Ｐｗ０）としたとき、まず、記録パワーと消去パワーの比が（Ｐｅ０／Ｐｗ０）となるように試し書きに使用する記録条件を設定し、試し書きを行い、試し書きされた情報を再生し、再生信号が所望の条件を満たさない場合は、記録パワーと消去パワーの比を（Ｐｅ０／Ｐｗ０）から変化させて試し書きに使用する記録条件を設定することを特徴としている。
【００２５】
また、本発明のさらに他の光記録再生装置は、上記課題を解決するために、記録条件を変化させて、光ディスク上に試し書きを行う記録条件試し書き手段と、記録条件試し書き手段により試し書きされた情報を再生し、再生信号を検出する再生信号検出手段と、再生信号品質が良好となる記録条件を選択する選択手段とを備え、上記記録条件試し書き手段は、標準記録条件である標準記録パワー（Ｐｗ０）と標準消去パワー（Ｐｅ０）との比を（Ｐｅ０／Ｐｗ０）としたとき、記録パワーと消去パワーの比が（Ｐｅ０／Ｐｗ０）となるように試し書きに使用する記録条件を設定し、試し書きを行い、試し書きされた情報を再生し、再生信号が所望の条件を満たさない場合は、記録パワーと消去パワーの比を（Ｐｅ０／Ｐｗ０）から変化させて試し書きに使用する記録条件を設定するようになっていることを特徴としている。
【００２６】
上記の発明によれば、一定比を保ちながら記録パワーと消去パワーを変化させて試し書きを行い、再生信号が所望の条件を満たさない場合、例えば、ジッタがある閾値より悪い場合、記録パワーと消去パワーの比を変化させるために消去パワーの値を設定しなおして試し書きを行う。
【００２７】
このとき、設定した記録パワー（Ｐｗ）が標準記録パワーである（Ｐｗ０）より大きい場合は、記録パワーと消去パワーの比が、（Ｐｅ０／Ｐｗ０）より小さくなるように消去パワーを設定し、また、設定した記録パワー（Ｐｗ）が標準記録パワー（Ｐｗ０）より小さい場合は、記録パワーと消去パワーの比が、（Ｐｅ０／Ｐｗ０）より大きくなるように消去パワーを設定することによって、再生信号品質の劣化を低減することができる。
【００２８】
前記所望の条件を満たさないとは、再生信号品質が所望値よりも悪い場合であってもよい。
【００２９】
上記の発明によれば、ジッタ及びエラーレート等の再生信号品質を表すものは、光ディスクのシステムマージンを規定する指標となっていることが多く、記録状態をその光ディスクのマージン規定の閾値と合致させることができる。
【００３０】
前記所望の条件を満たさないとは、再生信号振幅が所望値よりも小さい場合であってもよい。
【００３１】
上記の発明によれば、再生信号の振幅値を検出することで、ジッタ及びエラーレート等の再生信号品質よりも簡単な回路構成で記録状態の適否を検出することができる。
【００３２】
また、本発明のさらに他の光記録条件設定方法は、記録条件を変化させて、光ディスク上に試し書きを行い、試し書きされた情報を再生し、再生信号品質が良好となる記録条件を選択する光記録再生装置の光記録条件設定方法において、少なくとも一度行われた試し書きで得られた記録条件の記録パワー（Ｐｗ１）と消去パワー（Ｐｅ１）の比を（Ｐｅ１／Ｐｗ１）としたとき、記録パワーによって、記録パワーと消去パワーの比を（Ｐｅ１／Ｐｗ１）から変化させて試し書きに使用する記録条件を設定することを特徴としている。
【００３３】
また、本発明のさらに他の光記録条件設定方法は、上記課題を解決するために、記録条件を変化させて、光ディスク上に試し書きを行い、試し書きされた情報を再生し、再生信号品質が良好となる記録条件を選択する光記録再生装置の光記録条件設定方法において、少なくとも一度行われた試し書きで得られた記録条件の記録パワー（Ｐｗ１）と消去パワー（Ｐｅ１）の比を（Ｐｅ１／Ｐｗ１）としたとき、記録パワーが記録パワー（Ｐｗ１）より大きい場合は記録パワーと消去パワーの比が（Ｐｅ１／Ｐｗ１）よりも小さくなるように試し書きに使用する記録条件を設定し、それ以外の場合は記録パワーと消去パワーの比が（Ｐｅ１／Ｐｗ１）となるように試し書きに使用する記録条件を設定することを特徴としている。
【００３４】
また、本発明のさらに他の光記録条件設定方法は、上記課題を解決するために、記録条件を変化させて、光ディスク上に試し書きを行い、試し書きされた情報を再生し、再生信号品質が良好となる記録条件を選択する光記録再生装置の光記録条件設定方法において、少なくとも一度行われた試し書きで得られた記録条件の記録パワー（Ｐｗ１）と消去パワー（Ｐｅ１）の比を（Ｐｅ１／Ｐｗ１）としたとき、記録パワーが記録パワー（Ｐｗ１）以上の場合は記録パワーと消去パワーの比が（Ｐｅ１／Ｐｗ１）以下となるように試し書きに使用する記録条件を設定し、それ以外の場合は記録パワーと消去パワーの比が（Ｐｅ１／Ｐｗ１）よりも大きくなるように試し書きに使用する記録条件を設定することを特徴としている。
【００３５】
また、本発明のさらに他の光記録条件設定方法は、上記課題を解決するために、記録条件を変化させて、光ディスク上に試し書きを行い、試し書きされた情報を再生し、再生信号品質が良好となる記録条件を選択する光記録再生装置の光記録条件設定方法において、少なくとも一度行われた試し書きで得られた記録条件の記録パワー（Ｐｗ１）と消去パワー（Ｐｅ１）の比を（Ｐｅ１／Ｐｗ１）としたとき、記録パワーと消去パワーの比が（Ｐｅ１／Ｐｗ１）となるように試し書きに使用する記録条件を設定し、再度試し書きを行い、試し書きされた情報を再生し、再生信号が所望の条件を満たさない場合は、記録パワーと消去パワーの比を（Ｐｅ１／Ｐｗ１）から変化させて試し書きに使用する記録条件を設定することを特徴としている。
【００３６】
また、本発明のさらに他の光記録再生装置は、上記課題を解決するために、記録条件を変化させて、光ディスク上に試し書きを行う記録条件試し書き手段と、記録条件試し書き手段により試し書きされた情報を再生し、再生信号を検出する再生信号検出手段と、再生信号品質が良好となる記録条件を選択する選択手段とを備え、上記記録条件試し書き手段は、少なくとも一度行われた試し書きで得られた記録条件の記録パワー（Ｐｗ１）と消去パワー（Ｐｅ１）の比を（Ｐｅ１／Ｐｗ１）としたとき、記録パワーが記録パワー（Ｐｗ１）より大きい場合は記録パワーと消去パワーの比が（Ｐｅ１／Ｐｗ１）より小さくなるように試し書きに使用する記録条件を設定し、それ以外の場合は記録パワーと消去パワーの比が（Ｐｅ１／Ｐｗ１）となるように試し書きに使用する記録条件を設定することを特徴としている。
【００３７】
また、本発明のさらに他の光記録再生装置は、上記課題を解決するために、記録条件を変化させて、光ディスク上に試し書きを行う記録条件試し書き手段と、記録条件試し書き手段により試し書きされた情報を再生し、再生信号を検出する再生信号検出手段と、再生信号品質が良好となる記録条件を選択する選択手段とを備え、上記記録条件試し書き手段は、少なくとも一度行われた試し書きで得られた記録条件の記録パワー（Ｐｗ１）と消去パワー（Ｐｅ１）の比を（Ｐｅ１／Ｐｗ１）としたとき、記録パワーが記録パワー（Ｐｗ１）以上の場合は記録パワーと消去パワーの比が（Ｐｅ１／Ｐｗ１）以下となるように試し書きに使用する記録条件を設定し、それ以外の場合は記録パワーと消去パワーの比が（Ｐｅ１／Ｐｗ１）より大きくなるように試し書きに使用する記録条件を設定することを特徴としている。
【００３８】
また、本発明のさらに他の光記録再生装置は、上記課題を解決するために、記録条件を変化させて、光ディスク上に試し書きを行う記録条件試し書き手段と、記録条件試し書き手段により試し書きされた情報を再生し、再生信号を検出する再生信号検出手段と、再生信号品質が良好となる記録条件を選択する選択手段とを備え、上記記録条件試し書き手段は、少なくとも一度行われた試し書きで得られた記録条件の記録パワー（Ｐｗ１）と消去パワー（Ｐｅ１）の比を（Ｐｅ１／Ｐｗ１）としたとき、記録パワーと消去パワーの比が（Ｐｅ１／Ｐｗ１）となるように試し書きに使用する記録条件を設定し、再度試し書きを行い、試し書きされた情報を再生し、再生信号が所望の条件を満たさない場合は、記録パワーと消去パワーの比を（Ｐｅ１／Ｐｗ１）から変化させて試し書きに使用する記録条件を設定するようになっていることを特徴としている。
【００３９】
上記の発明によれば、少なくとも一度行われた試し書きによって得られた記録条件を記録パワー（Ｐｗ１）と消去パワー（Ｐｅ１）としたときに、この比（＝Ｐｅ１／Ｐｗ１）を用いて、記録条件の設定を行う構成である。
【００４０】
すなわち、少なくとも一度行われた試し書きによって得られた記録条件である記録パワー（Ｐｗ１）と消去パワー（Ｐｅ１）の比を保ちながら、記録条件を変化させて試し書きを行えるため、より良好な記録条件の設定が可能となる。
【００４１】
また、本発明のさらに他の光記録条件設定方法は、上記課題を解決するために、標準記録条件である標準記録パワー（Ｐｗ０）と標準消去パワー（Ｐｅ０）の比を（Ｐｅ０／Ｐｗ０）としたとき、少なくとも一度行われた試し書きで得られた記録条件に対して、所定演算を加え、演算で得られた記録パワー及び消去パワーの少なくとも一方の大きさに依存した記録パワーと消去パワーとの比を用いて、好適記録条件及び好適消去条件の少なくとも一方を設定することを特徴としている。
【００４２】
記録パワーによって、記録パワーと消去パワーの比が（Ｐｅ０／Ｐｗ０）よりも小さくなるように記録条件を設定することを特徴としている。
【００４３】
また、本発明のさらに他の光記録条件設定方法は、上記課題を解決するために、記録条件を変化させて、光ディスク上に試し書きを行い、試し書きされた情報を再生し、再生信号品質が良好となる記録条件を選択する光記録再生装置の光記録条件設定方法において、少なくとも一度行われた試し書きで得られた記録条件及び消去条件の少なくとも一方に対して、所定演算を加え、演算で得られた記録パワー及び消去パワーの少なくとも一方の大きさに依存した記録パワーと消去パワーとの比を用いて、好適記録条件及び好適消去条件の少なくとも一方を設定することを特徴としている。
【００４４】
上記光記録条件設定方法では、好適記録条件及び好適消去条件の少なくとも一方を設定する場合、記録パワーが標準記録パワーより大きい場合は、記録パワーと消去パワーの比がＰｅ０／Ｐｗ０よりも小さくなるように記録条件を設定してもよい。
【００４５】
また、本発明のさらに他の光記録再生装置は、上記課題を解決するために、記録条件を変化させて、光ディスク上に試し書きを行う記録条件試し書き手段と、記録条件試し書き手段により試し書きされた情報を再生し、再生信号を検出する再生信号検出手段と、再生信号品質が良好となる記録条件を選択する選択手段とを備え、上記選択手段は、標準記録条件である標準記録パワー（Ｐｗ０）と標準消去パワー（Ｐｅ０）の比を（Ｐｅ０／Ｐｗ０）としたとき、少なくとも一度行われた試し書きで得られた記録条件に対して所定演算を加えて、記録パワーが標準記録パワーより大きい場合は記録パワーと消去パワーの比がＰｅ０／Ｐｗ０よりも小さくなるように記録条件を選択することを特徴としている。
【００４６】
上記の発明によれば、低い記録条件の範囲において、記録パワーと消去パワーを変化させて試し書きをして、検出した記録条件に対して各種マージンを考慮し、所定係数倍する等の所定演算を加えて好適な記録条件を設定する場合は、高いパワーの記録条件において再生信号品質の劣化が生じる可能性があるという問題を有しているが、記録パワーが標準記録パワーより大きい場合は、記録パワーと消去パワーの比がＰｅ０／Ｐｗ０よりも小さくなるように記録条件を設定することにより、再生信号品質の悪化を低減することができる。
【００４７】
また、本発明の制御プログラムは、上記記載の光記録再生装置を動作させる制御プログラムであって、コンピュータを前記の各手段として機能させること特徴としている。
【００４８】
上記の発明によれば、コンピュータを前記の各手段として機能させる制御プログラムを提供することができる。
【００４９】
また、本発明のコンピュータ読み取り可能な記録媒体は、上記記載の制御プログラムを記録したこと特徴としている。
【００５０】
上記の発明によれば、制御プログラムを記録したコンピュータ読み取り可能な記録媒体を提供することができる。
【００５１】
【発明の実施の形態】
〔実施の形態１〕
本発明の実施の一形態について図１ないし図６に基づいて説明すれば、以下の通りである。
【００５２】
本実施の形態の光記録条件設定方法が適用される光記録再生装置としての光ディスク装置１では、図１に示すように、回転する光ディスク１０の図示しない記録部位である記録トラックへ、制御部２０がピックアップ駆動回路１３を介して光ピックアップ１２を移動させる。
【００５３】
上記光ピックアップ１２には、光ヘッド１１が設けられている。そして、制御部２０がレーザ駆動回路１４を介して記録条件を設定し、光ヘッド１１から記録用に設定されたレーザビーム４４を、回転している光ディスク１０の記録トラックに照射することにより、光ディスク１０の記録トラックに情報が記録される。
【００５４】
また、制御部２０は、レーザ駆動回路１４を介して光ヘッド１１から再生用に設定されたレーザビーム４４を光ディスク１０の記録トラックに照射するように光ピックアップ１２を制御するようにもなっている。再生用のレーザビーム４４は、上記記録トラックにて反射されて光ヘッド１１にて検出され、電気信号に変換されて出力される。光ヘッド１１が出力した電気信号は、再生回路１５にて再生信号に変換され、制御部２０に入力される。これにより、上記光ディスク装置１は、光ディスク１０のトラックに記録された情報を再生できる。上記ピックアップ駆動回路１３、レーザ駆動回路１４および再生回路１５によって、記録再生回路群１６が構成されている。
【００５５】
ここで、上記光ディスク装置１には、特に、センサ３０が設けられている。上記センサ３０は、光ディスク１０の装填、及び光ディスク１０への記録環境の変化の少なくとも一方を検出するためのものであり、例えば、光ディスク１０の記録部位の温度を検出するための温度センサからなる。そして、センサ３０は、検出した結果を検出信号として制御部２０へ出力する。
【００５６】
上記制御部２０は、光ディスク１０が光ディスク装置１に装填されたときに加えて、情報の記録動作中にもセンサ３０の検出信号から記録環境に所定の変化が検出されたときや、前回の試し書きから所定時間が経過したとき等に、記録条件設定のための動作（ルーティン）を適宜起動する。
【００５７】
光ディスク装置１は、図２に示すように、光ディスク１０の設定用領域４１への試し書きに基づいて記録条件を設定する。そして、その記録条件によって、ユーザ領域４２の各記録トラックに情報を記録する。光ディスク装置１の記録条件設定後のユーザ領域４２への記録動作は、一般に知られた動作と同様である。また、設定用領域４１内には、標準記録条件が予め記録されているものとする。
【００５８】
上記光ディスク装置１は、設定用領域４１内の標準記録条件を読み出し、この標準記録条件を記録条件設定のために使用する。また、読み出した標準記録条件を上記制御部２０内に設けられた記憶手段であるメモリに保存し、それを読み出して使用してもよい。なお、設定用領域４１の位置は、図２に示した、最内周側の位置に限らず、光ディスク１０の任意の半径位置に存在していても構わないし、設定用領域４１は複数存在していても構わない。
【００５９】
次に、本実施の形態における具体的な光記録条件設定方法を、図３ないし図６に基づいて説明する。以下においては、本実施の形態に係る光記録再生装置に用いた記録信号の変調方式として（１，７）ＲＬＬ（Ｒｕｎ  Ｌｅｎｇｔｈ  Ｌｉｍｉｔｅｄ  ｃｏｄｅ）を例に挙げて説明する。（１，７）ＲＬＬコードとは、磁気的、光学的ディジタル記録において、反転間隔の最小値と最大値とを制限して、クロック信号の再生が容易化されて、上記ディジタル記録に好適なコードである。
【００６０】
図３に示すように、上記光ディスク１０に記録を行うための媒体温度分布を考慮し、記録情報に対応する記録パルス列が設定されている。なお、図３は４Ｔマークに対応するための記録条件を示す。ここで、Ｔは、クロック１周期分の時間を表す。したがって、例えば４Ｔマークとは、クロック４周期分の時間に「１」が記録される記録マークつまり記録領域をいう。
【００６１】
また、記録パルス列は、同図に示すように、記録パワー、消去パワー及びバイアスパワーにて構成され、これらを記録条件と呼ぶことにする。本実施の形態では、記録パワー、消去パワー及びバイアスパワーの各パワーの大きさは、記録パワー＞消去パワー＞バイアスパワーである。これは、記録パワーは、高温状態から急速に冷却されることで、記録領域をアモルファス化、消去パワーは、加温されて冷却するときに結晶化させ、バイアスパワーは、迅速にパワーアップできるように予め通電しておくためである。なお、同図では、記録パルス列の各記録パワーは互いに同一であるが、必ずしもこれに限らず、記録パルス毎で互いに別個の記録パワーであってもよい。
【００６２】
これらの記録パワー、消去パワー及びバイアスパワーといった記録条件の標準値は、光ディスク１０の設定用領域４１に標準記録条件として予め記録されている。なお、標準記録条件として、光ディスク１０の設定用領域４１に予め記録されている記録パワー、消去パワー及びバイアスパワーの値をそのまま用いてもよいし、それぞれのパワーに対して、所定係数をかけるなどの演算を加えた後に用いてもよい。また、標準記録条件については、記録パワー、消去パワー及びバイアスパワーだけでなく、記録パワーと消去パワーの比や、記録パワーとバイアスパワーの比というように係数として記録されていてもよい。
【００６３】
次に、２Ｔマークから８Ｔマークまでが含まれたテストパターンを用いて、記録条件を変化させて、試し書きを行ったときの再生信号品質を測定した。図４は、標準記録条件として、記録パワー５．１ｍＷ、消去パワー２．８ｍＷを用い、上記記録パワーと再生パワーを一定比（消去パワー／記録パワー＝２．８／５．１）に保ちながら、記録パワーと消去パワーとを変化させて記録し、再生信号品質の検出量として、ジッタを測定した結果を示している。
【００６４】
図４では、記録パルスの幅が標準に設定して記録を行った場合を実線で、標準よりも１ｎｓ増加させて記録パルスの幅を設定して記録を行った場合を点線で示している。いずれの場合も高記録パワー付近で、ジッタが悪化している。これは、記録パワーと消去パワーの両者が大きくなることによって、記録マークが形成されるために必要な冷却が不足するためである。
【００６５】
図４においては、標準のパルス幅の場合と、１ｎｓ増加させた場合とでジッタの悪化が生じている記録条件に差がある。例えば、標準のパルス幅においてジッタが良好となる記録条件である記録パワー５．３ｍＷであったとしても、パルス幅が１ｎｓ増加した場合にはジッタは悪化する。
【００６６】
つまり、再生信号の悪化は、良好な記録マークを形成できる記録条件に近い条件で生じることがあり、試し書きにより良好な条件として設定された記録条件で記録を行っていたとしても、装置において環境変化等や、記録パルス幅の変動が生じた場合に記録状態が悪化する可能性があることが分かる。
【００６７】
図５に、記録パワーを５．５ｍＷに固定し、消去パワーを変化させて記録し、ジッタを測定した結果を示している。ここで、記録パルスの幅は標準に設定されている。標準記録条件である記録パワー５．１ｍＷと消去パワー２．８ｍＷの比（消去パワー／記録パワー＝２．８／５．１）を保った場合、記録パワー５．５ｍＷに対して、消去パワーは標準で約３．１ｍＷとなる。このときのジッタは悪くなっているが、消去パワーを上記標準より小さく設定することにより、ジッタは良くなっていく。
【００６８】
よって、記録条件（記録パワー、消去パワー）が大きい場合には、標準記録条件である記録パワーと消去パワーの比（消去パワー／記録パワー）を小さくするように設定し、試し書きを行えば、再生信号品質の悪化を低減し、良好な記録条件を得ることができる。
【００６９】
上記の小さく設定する範囲としては、標準記録条件である記録パワーと消去パワーの比（消去パワー／記録パワー）に対して、１％〜１０％が好ましく、２％〜１０％がより好ましく、３％〜１０％がさらに好ましい。
【００７０】
ここでは、説明を簡単にするため、記録条件が大きい場合とは、標準記録条件である記録パワー（以降、標準記録パワーと呼ぶ）よりも大きい記録パワーであるとするが、これに限らず、標準記録パワー付近のパワーに対して大きい記録パワーであれば、同様の効果が得られる。
【００７１】
図６に記録条件設定の具体的動作を示すフローチャートについて説明する。まず、光ディスク装置１は、制御部２０の制御により、標準記録条件を光ディスク１０から読み出し、標準記録パワー（ここでは、Ｐｗ０）と標準消去パワー（ここでは、Ｐｅ０）の比（＝Ｐｅ０／Ｐｗ０）を設定する（ステップ１、以下、ステップをＳと略記する）。
【００７２】
続いて、記録パワーＰｗを変化させて設定する（Ｓ２）。次いで、設定した記録パワーＰｗと標準記録パワーであるＰｗ０との大小比較を行う（Ｓ３）。ここで、ＰｗがＰｗ０を超えれば、記録パワーと消去パワーの比が、Ｐｅ０／Ｐｗ０未満になるように消去パワーを設定し（Ｓ４）、それ以外の場合は、記録パワーと消去パワーの比が、Ｐｅ０／Ｐｗ０となるように消去パワーを設定する（Ｓ５）。
【００７３】
設定された記録条件で試し書きを行い、再生信号を検出する（Ｓ６）。試し書きの終了の判定を行い（Ｓ７）、試し書きを続ける場合は、Ｓ２に戻り、記録パワーを変化させて設定する。試し書きを終了する場合は、得られた再生信号に基づいて、最適な（好適な）記録条件を設定する（Ｓ８）。上記終了の判定基準としては、各記録条件の数が所定数に達したか否かが挙げられる。
【００７４】
なお、ここでは、設定した記録パワーＰｗが標準記録パワーであるＰｗ０との比較を行っているが、これに限らず、消去パワーＰｅが標準消去パワーであるＰｅ０との比較を行ってもよい。
【００７５】
このように、本実施の形態の光記録条件設定方法及び光ディスク装置１では、記録条件試し書き手段が、記録条件をそれぞれ変化させて、光ディスク１０上に上記各記録条件にて試し書きを行う。また、再生信号検出手段は、記録条件試し書き手段により試し書きされた情報を再生し、再生信号を検出する。さらに、選択手段が、再生信号品質の良くなる記録条件を選択する。なお、これら記録条件試し書き手段、再生信号検出手段及び選択手段は、ＣＰＵからなる制御部２０がこれらの機能を果たす。
【００７６】
ところで、従来では、大きい記録条件において再生信号品質の悪化が生じる可能性があるという問題点を有していた。
【００７７】
しかし、本実施の形態では、記録条件を変化させて、光ディスク上に試し書きを行い、試し書きされた情報を再生し、再生信号品質が良好となる記録条件を選択する光記録再生装置及び光記録条件設定方法において、標準記録条件である標準記録パワーＰｗ０と標準消去パワーＰｅ０の比をＰｅ０／Ｐｗ０としたとき、記録パワーが標準記録パワーより大きい（標準記録パワーを超える）場合は記録パワーと消去パワーの比がＰｅ０／Ｐｗ０よりも小さく（Ｐｅ０／Ｐｗ０未満と）なるように試し書きに使用する記録条件を設定し、それ以外の場合は記録パワーと消去パワーの比がＰｅ０／Ｐｗ０となるように試し書きに使用する記録条件を設定する構成である。
【００７８】
すなわち、本実施の形態においては、書き込み可能な光ディスク１０及び光ディスク装置１の特性ばらつきの影響に起因する、再生信号品質の劣化を低減することができる。
【００７９】
〔実施の形態２〕
本発明に係る実施の他の形態について図７及び図８に基づいて説明すれば、以下の通りである。なお、本実施の形態では、説明の便宜上、前記実施の形態１の図面に示した部材と同一の機能を有する部材については、同一の符号を付し、その説明を省略している。
【００８０】
図７に、記録パワーを４．０ｍＷに固定し、消去パワーを変化させて記録し、ジッタを測定した結果を示している。ここで、記録パルスの幅は標準に設定している。標準記録条件である記録パワー５．１ｍＷと消去パワー２．８ｍＷの比（消去パワー／記録パワー＝２．８／５．１）を保った場合、記録パワー４．０ｍＷに対して、消去パワーは約２．２ｍＷとなる。このときのジッタに対して、消去パワーを大きくすることにより、ジッタは良くなっていく。
【００８１】
よって、記録条件（記録パワー、消去パワー）が標準より小さい場合には、標準記録条件である記録パワーと消去パワーの比（消去パワー／記録パワー）を大きくするように設定し、試し書きを行えば、再生信号品質の悪化を低減し、良好な記録条件を得ることができる。ここでは、記録条件が小さい場合とは、標準記録パワー未満の記録パワーであるとする。
【００８２】
図８に記録条件設定の具体的動作を示すフローチャートについて説明する。まず、光ディスク装置１は、制御部２０の制御により、標準記録条件を光ディスク１０から読み出し、標準記録パワーＰｗ０と標準消去パワーＰｅ０の比（＝Ｐｅ０／Ｐｗ０）を設定する（Ｓ１１）。続いて、記録パワーＰｗを変化させて各記録条件をそれぞれ設定する（Ｓ１２）。
【００８３】
次いで、設定した記録パワーＰｗと標準記録パワーであるＰｗ０との大小比較を行う（Ｓ１３）。ここで、ＰｗがＰｗ０以上であれば、記録パワーと消去パワーの比が、Ｐｅ０／Ｐｗ０以下になるように消去パワーを設定し（Ｓ１４）、それ以外は、記録パワーと消去パワーの比が、Ｐｅ０／Ｐｗ０を超えるように消去パワーを設定する（Ｓ１５）。
【００８４】
その後、設定された記録条件で試し書きを行い、再生信号を検出する（Ｓ１６）。試し書きの終了の判定を行い（Ｓ１７）、試し書きを続ける場合は、Ｓ１２に戻り、記録パワーを変化させて設定する。試し書きを終了する場合は、得られた再生信号に基づいて、最適な記録条件を設定する（Ｓ１８）。
【００８５】
このように、本実施の形態の光記録条件設定方法及び光ディスク装置１では、記録条件試し書き手段が、記録条件を変化させて、光ディスク１０上に試し書きを行う。また、再生信号検出手段は、記録条件試し書き手段により試し書きされた情報を再生し、再生信号を検出する。さらに、選択手段が、再生信号品質の良くなる記録条件を選択する。なお、これら記録条件試し書き手段、再生信号検出手段及び選択手段は、ＣＰＵからなる制御部２０がこれらの機能を果たす。
【００８６】
ところで、従来では、記録パワーが標準より小さい記録条件において再生信号品質の悪化が生じる可能性があるという問題点を有していた。
【００８７】
しかし、本実施の形態では、記録条件を変化させて、光ディスク上に試し書きを行い、試し書きされた情報を再生し、再生信号品質が良好となる記録条件を選択する光記録再生装置及び光記録条件設定方法において、標準記録条件である標準記録パワーＰｗ０と標準消去パワーＰｅ０の比をＰｅ０／Ｐｗ０としたとき、記録パワーが標準記録パワー以上の場合は記録パワーと消去パワーの比がＰｅ０／Ｐｗ０以下となるように試し書きに使用する記録条件を設定し、それ以外の場合は記録パワーと消去パワーの比がＰｅ０／Ｐｗ０よりも大きくなるように試し書きに使用する記録条件を設定する構成である。
【００８８】
上記構成によれば、書き込み可能な光ディスク１０及び光ディスク装置１の特性ばらつきの影響を低減することができる。
【００８９】
〔実施の形態３〕
本発明に係る実施のさらに他の形態について図９乃至図１１に基づいて説明すれば、以下の通りである。なお、本実施の形態では、説明の便宜上、前記の実施の形態１及び実施の形態２の図面に示した部材と同一の機能を有する部材については、同一の符号を付し、その説明を省略している。
【００９０】
本実施の形態の光記録パルス条件設定方法では、標準記録条件である標準記録パワーＰｗ０と標準消去パワーＰｅ０の比をＰｅ０／Ｐｗ０としたとき、記録パワーと消去パワーの比がＰｅ０／Ｐｗ０となるように試し書きに使用する記録条件を設定し、試し書きを行い、試し書きされた情報を再生し、再生信号が所望の条件を満たさない場合は、記録パワーと消去パワーの比をＰｅ０／Ｐｗ０から変化させて試し書きに使用する記録条件を設定する。
【００９１】
図９に、記録パワーと消去パワーとを一定比に保ちながら、記録パワーと消去パワーとを変化させて記録し、再生信号品質の検出量として、ジッタを測定した結果を示している。
【００９２】
本実施の形態では、ジッタの閾値Ａ０を使用する。すなわち、試し書きを行い、閾値Ａ０より悪いジッタが得られた場合、記録パワーと消去パワーの比を変化させるために消去パワーの値を設定し直して試し書きを行う。このとき、設定した記録パワーＰｗが標準記録パワーであるＰｗ０より大きい場合は、記録パワーと消去パワーの比が、Ｐｅ０／Ｐｗ０より小さくなるように消去パワーを設定し、また、設定した記録パワーＰｗが標準記録パワーＰｗ０より小さい場合は、記録パワーと消去パワーの比が、Ｐｅ０／Ｐｗ０より大きくなるように消去パワーを設定することによって、再生信号品質の悪化を低減することができる。また、Ｐｗ＝Ｐｗ０のときは、標準の比を用いればよい。
【００９３】
図１０に記録条件設定の具体的動作を示すフローチャートについて説明する。まず、光ディスク装置１は、制御部２０の制御により、標準記録条件を光ディスク１０から読み出し、標準記録パワーＰｗ０と標準消去パワーＰｅ０の比（＝Ｐｅ０／Ｐｗ０）を設定する（Ｓ２１）。続いて、記録パワーと消去パワーを変化させて設定する（Ｓ２２）。次いで、設定された記録条件で試し書きを行い、再生信号を検出する（Ｓ２３）。
【００９４】
その後、再生信号が所望の条件を満たすかどうか、ここでは、ジッタが閾値Ａ０以下であるかどうかの判定を行い（Ｓ２４）、試し書きの終了の判定を行って（Ｓ２５）、試し書きを続ける場合は、Ｓ２２に戻り、記録条件を変化させて設定する。
【００９５】
ジッタが閾値Ａ０より大きい場合、記録パワーと消去パワーの比を、Ｐｅ０／Ｐｗ０から変化させるように消去パワーを設定し（Ｓ２６）、Ｓ２３に戻り、設定された記録条件で試し書きを行う。試し書きを終了する場合は、得られた再生信号に基づいて、最適な記録条件を設定する（Ｓ２８）。
【００９６】
なお、図１０のＳ２４以降の処理（Ｓ２４〜Ｓ２８）、すなわち、設定された記録条件による試し書きの再生信号が所望の条件を満たすかどうかを判定し、その判定に基づいて、記録パワー及び消去パワーの少なくとも一方を変化させる処理は、実施の形態１における図６のＳ６の後に、また、実施の形態２における図８のＳ１６の後に利用することもできる。
【００９７】
また、本実施の形態では、再生信号の条件として、ジッタを使用したがこれに限るものではなく、エラーレート等、再生信号品質を表すものを使用することができる。
【００９８】
また、図１１に、記録パワーと消去パワーとを一定比に保ちながら、記録パワーと消去パワーを変化させて記録し、再生信号の検出量として、再生信号の振幅の大きさ（Ｖ）を測定した結果を示している。ジッタの悪化に対応するように、高いパワーの記録条件及び低いパワーの記録条件の双方において、振幅の大きさが低下していることが分かる。よって、再生信号の条件として、振幅の大きさを使用することもできる。
【００９９】
ところで、従来では、記録パワーと消去パワーが大きい記録条件、及び記録パワーと消去パワーが小さい記録条件において再生信号品質の悪化が生じる可能性があるという問題点を有していた。
【０１００】
しかし、本実施の形態では、記録条件を変化させて、光ディスク上に試し書きを行い、試し書きされた情報を再生し、再生信号品質が良好となる記録条件を選択する光記録再生装置の光記録条件設定方法において、標準記録条件である標準記録パワーＰｗ０と標準消去パワーＰｅ０の比をＰｅ０／Ｐｗ０としたとき、記録パワーと消去パワーの比がＰｅ０／Ｐｗ０となるように試し書きに使用する記録条件を設定し、試し書きを行い、試し書きされた情報を再生し、再生信号が所望の条件を満たさない場合は、記録パワーと消去パワーの比をＰｅ０／Ｐｗ０から変化させて試し書きに使用する記録条件を設定する構成である。
【０１０１】
本実施の形態においては、書き込み可能な光ディスク１０及び光ディスク装置１の特性ばらつきの影響を低減することができる。
【０１０２】
〔実施の形態４〕
本発明に係る実施のさらに他の形態について図１２に基づいて説明すれば、以下の通りである。なお、本実施の形態では、説明の便宜上、前記の実施の形態１ないし実施の形態３の図面に示した部材と同一の機能を有する部材については、同一の符号を付し、その説明を省略している。
【０１０３】
本実施の形態の光記録パルス条件設定方法では、少なくとも一度行われた試し書きによって得られた記録条件を記録パワーＰｗ１と消去パワーＰｅ１としたときに、この比（＝Ｐｅ１／Ｐｗ１）を標準に代えて用い、前記実施の形態１ないし実施の形態３において行った記録条件の設定を行う構成である。
【０１０４】
すなわち、少なくとも一度行われた試し書きによって得られた記録条件である記録パワーＰｗ１と消去パワーＰｅ１の比を保ちながら、記録条件を変化させて試し書きを行えるため、より良好な記録条件の設定が可能となる。
【０１０５】
図１２に記録条件設定の具体的動作を示すフローチャートについて説明する。まず、光ディスク装置１は、少なくとも一度試し書き動作を行い、試し書きで得られた記録条件である記録パワーＰｗ１と消去パワーＰｅ１との比（＝Ｐｅ１／Ｐｗ１）を設定する（Ｓ３１）。その後、実施の形態１におけるＳ２、実施の形態２におけるＳ１２、及び、実施の形態３におけるＳ２２の何れかに進むことで、試し書きを行い、最適な記録条件を設定する。
【０１０６】
上記方法及び構成によれば、少なくとも一度行われた試し書きによって得られた記録条件に基づき、記録条件を変化させて試し書きを行えるため、より精度の良好な記録パワー条件の設定を行うことができる。
【０１０７】
〔実施の形態５〕
本発明に係る実施のさらに他の形態について図１３及び図１４に基づいて説明すれば、以下の通りである。なお、本実施の形態では、説明の便宜上、前記の実施の各形態１乃至４の各図面に示した部材と同一の機能を有する部材については、同一の符号を付し、その説明を省略している。
【０１０８】
本実施の形態の光記録パルス条件設定方法では、標準記録条件である標準記録パワーＰｗ０と標準消去パワーＰｅ０の比をＰｅ０／Ｐｗ０としたとき、少なくとも一度行われた試し書きで得られた記録条件に対して、所定演算を加えて、演算された結果の記録パワーが標準記録パワーより大きい（標準記録パワーを超える）場合は、記録パワーと消去パワーの比がＰｅ０／Ｐｗ０よりも小さく（Ｐｅ０／Ｐｗ０未満と）なるように記録条件を設定する構成である。
【０１０９】
すなわち、低い記録条件の範囲において、記録パワーと消去パワーを変化させて試し書きをして、検出した記録条件に対して各種マージンを考慮し、所定係数倍する等の所定演算を加えて最適記録条件を設定する場合は、高いパワーの記録条件において再生信号品質の悪化が生じる可能性があるという問題を有しているが、演算された記録パワーが標準記録パワーより大きい場合は、記録パワーと消去パワーの比がＰｅ０／Ｐｗ０よりも小さくなるように記録条件を設定することにより、再生信号品質の悪化を低減することができる。
【０１１０】
図１４に、上記記録条件設定の具体的動作を示すフローチャートについて説明する。まず、光ディスク装置１は、少なくとも一度試し書き動作を行い、試し書きで得られた記録条件である記録パワーと消去パワーのそれぞれに対して所定係数倍し、記録条件として設定する（Ｓ４１）。次いで、演算により設定した記録パワーＰｗと標準記録パワーであるＰｗ０の大小比較を行う（Ｓ４２）。
【０１１１】
ここで、ＰｗがＰｗ０を超えていれば、記録パワーと消去パワーの比が、Ｐｅ０／Ｐｗ０未満になるように消去パワーを設定する（Ｓ４３）。一方、設定した記録パワーＰｗが標準記録パワーであるＰｗ０以下の場合は、Ｓ４１にて設定した記録パワーと消去パワーを維持して設定する。
【０１１２】
上記方法及び構成によれば、書き込み可能な光ディスク１０及び光ディスク装置１の特性ばらつきの影響を低減することができる。
【０１１３】
なお、図１４のＳ４１において、試し書きで得られた記録条件である記録パワーと消去パワーのそれぞれに対して所定係数倍し、記録条件として設定しているが、光ディスク１０に記録されている記録条件を読み出し、それに対して所定係数倍し、記録条件として設定しても同様の効果を得ることができる。
【０１１４】
また、上記の実施の各形態は、本発明の範囲を限定するものではなく、本発明の範囲内で種々の変更が可能である。例えば、記録条件の設定は、各記録トラックにおいて少なくとも１回行うことが望ましいが、必ずしも全ての記録トラックで行う必要はなく、複数の記録トラックごとであってもよい。
【０１１５】
また、上記光ディスク装置１は、制御部２０の各機能を実現するプログラム（制御プログラム、記録条件設定プログラム）の命令を実行する演算手段であるＣＰＵ（Ｃｅｎｔｒａｌ  Ｐｒｏｃｅｓｓｉｎｇ  Ｕｎｉｔ）、上記プログラムを格納した記憶手段であるＲＯＭ（Ｌｅａｄ  Ｏｎｌｙ  Ｍｅｍｏｒｙ）、上記プログラムを展開する記憶手段であるＲＡＭ（Ｒａｎｄｏｍ  Ａｃｃｅｓｓ  Ｍｅｍｏｒｙ）、上記プログラム及び各種データを格納する記憶手段であるメモリ等の図示しない記憶装置（記憶媒体）等を備えている。
【０１１６】
そして、本発明の目的は、上述した機能を実現するソフトウエアである制御プログラムのプログラムコード（実行形式プログラム、中間コードプログラム、ソースプログラム）をコンピュータで読み取り可能にした記録媒体を、上記光ディスク装置１に供給し、そのコンピュータ（又はＣＰＵやＭＰＵ）が記録媒体に記録されているプログラムコードを読み出し実行することによっても、達成可能である。この場合、記録媒体から読み出されたプログラムコード自体が上述した機能を実現することにより、そのプログラムコードを記録した記録媒体は本発明を構成することになる。
【０１１７】
なお、本発明は、上述した各実施形態に限定されるものではなく、請求項に示した範囲で種々の変更が可能であり、異なる実施形態にそれぞれ開示された技術的手段を適宜組み合わせて得られる実施形態についても本発明の技術的手段に含まれる。
【０１１８】
【発明の効果】
本発明の光記録再生装置の光記録条件設定方法は、以上のように、記録条件を変化させて、光ディスク上に試し書きを行い、試し書きされた情報を再生し、再生信号品質が良好となる記録条件を選択する光記録再生装置の光記録条件設定方法において、標準記録条件である標準記録パワーＰｗ０と標準消去パワーＰｅ０の比をＰｅ０／Ｐｗ０としたとき、記録パワーが標準記録パワーより大きい場合は記録パワーと消去パワーの比がＰｅ０／Ｐｗ０よりも小さくなるように試し書きに使用する記録条件を設定し、それ以外の場合は記録パワーと消去パワーの比がＰｅ０／Ｐｗ０となるように試し書きに使用する記録条件を設定する方法である。
【０１１９】
また、本発明の光記録再生装置は、以上のように、記録条件を変化させて、光ディスク上に試し書きを行う記録条件試し書き手段と、記録条件試し書き手段により試し書きされた情報を再生し、再生信号を検出する再生信号検出手段と、再生信号品質が良好となる記録条件を選択する選択手段とを備えている光変調記録再生装置において、上記記録条件試し書き手段は、標準記録条件である標準記録パワーＰｗ０と標準消去パワーＰｅ０の比をＰｅ０／Ｐｗ０としたとき、記録パワーが標準記録パワーより大きい場合は記録パワーと消去パワーの比がＰｅ０／Ｐｗ０よりも小さくなるように試し書きに使用する記録条件を設定し、それ以外の場合は記録パワーと消去パワーの比がＰｅ０／Ｐｗ０となるように試し書きに使用する記録条件を設定する。
【０１２０】
すなわち、記録条件試し書き手段が、記録条件を変化させて、光ディスク上に試し書きを行う。また、再生信号検出手段は、記録条件試し書き手段により試し書きされた情報を再生し、再生信号を検出する。さらに、選択手段が、再生信号品質の良くなる記録条件を選択する。
【０１２１】
ところで、標準記録条件である記録パワーＰｗ０と消去パワーＰｅ０を用い、一定比（消去パワー／記録パワー＝Ｐｅ０／Ｐｗ０）を保ちながら記録パワーと消去パワーを変化させて記録した場合、高記録パワー付近で再生信号品質が悪化する。これは、記録パワーと消去パワーの両者が大きくなることによって、記録マークが形成されるために必要な冷却が不足するためである。再生信号品質の悪化は、良好な記録マークを形成できる記録条件に近い条件で生じることがあり、試し書きにより良好な条件として設定された記録条件で記録を行っていたとしても、装置において環境変化等や、記録パルス幅の変動が生じた場合に記録状態が悪化する可能性がある。
【０１２２】
それゆえ、本発明では、記録条件（記録パワー、消去パワー）が大きい場合には、標準記録条件である記録パワーと消去パワーの比（消去パワー／記録パワー）を小さくするように設定し、試し書きを行うため、再生信号品質の悪化を低減し、良好な記録条件を得ることができる。すなわち、書き込み可能な光ディスク及び光ディスク装置の特性ばらつきの影響を低減することができるという効果を奏する。
【０１２３】
また、本発明の光記録再生装置の光記録条件設定方法は、以上のように、記録条件を変化させて、光ディスク上に試し書きを行い、試し書きされた情報を再生し、再生信号品質が良好となる記録条件を選択する光記録再生装置の光記録条件設定方法において、標準記録条件である標準記録パワーＰｗ０と標準消去パワーＰｅ０の比をＰｅ０／Ｐｗ０としたとき、記録パワーが標準記録パワー以上の場合は記録パワーと消去パワーの比がＰｅ０／Ｐｗ０以下になるように試し書きに使用する記録条件を設定し、それ以外の場合は記録パワーと消去パワーの比がＰｅ０／Ｐｗ０よりも大きくなるように試し書きに使用する記録条件を設定する方法である。
【０１２４】
また、本発明の光記録再生装置は、以上のように、記録条件を変化させて、光ディスク上に試し書きを行う記録条件試し書き手段と、記録条件試し書き手段により試し書きされた情報を再生し、再生信号を検出する再生信号検出手段と、再生信号品質が良好となる記録条件を選択する選択手段とを備えている光変調記録再生装置において、上記記録条件試し書き手段は、標準記録条件である標準記録パワーＰｗ０と標準消去パワーＰｅ０の比をＰｅ０／Ｐｗ０としたとき、記録パワーが標準記録パワー以上の場合は記録パワーと消去パワーの比がＰｅ０／Ｐｗ０以下になるように試し書きに使用する記録条件を設定し、それ以外の場合は記録パワーと消去パワーの比がＰｅ０／Ｐｗ０よりも大きくなるように試し書きに使用する記録条件を設定する。
【０１２５】
それゆえ、記録条件（記録パワー、消去パワー）が標準以上の場合には、標準記録条件である記録パワーと消去パワーの比（消去パワー／記録パワー）を標準以下にするように設定し、試し書きを行うため、再生信号品質の悪化を低減し、良好な記録条件を得ることができる。すなわち、書き込み可能な光ディスク及び光ディスク装置の特性ばらつきの影響を低減できるという効果を奏する。
【０１２６】
また、本発明の光記録再生装置の光記録条件設定方法は、以上のように、記録条件を変化させて、光ディスク上に試し書きを行い、試し書きされた情報を再生し、再生信号品質が良好となる記録条件を選択する光記録再生装置の光記録条件設定方法において、標準記録条件である標準記録パワーＰｗ０と標準消去パワーＰｅ０の比をＰｅ０／Ｐｗ０としたとき、記録パワーと消去パワーの比がＰｅ０／Ｐｗ０となるように試し書きに使用する記録条件を設定し、試し書きを行い、試し書きされた情報を再生し、再生信号が所望の条件を満たさない場合は、記録パワーと消去パワーの比をＰｅ０／Ｐｗ０から変化させて試し書きに使用する記録条件を設定する方法である。
【０１２７】
また、本発明の光記録再生装置は、以上のように、記録条件を変化させて、光ディスク上に試し書きを行う記録条件試し書き手段と、記録条件試し書き手段により試し書きされた情報を再生し、再生信号を検出する再生信号検出手段と、再生信号品質が良好となる記録条件を選択する選択手段とを備えている光変調記録再生装置において、上記記録条件試し書き手段は、標準記録条件である標準記録パワーＰｗ０と標準消去パワーＰｅ０の比をＰｅ０／Ｐｗ０としたとき、記録パワーと消去パワーの比がＰｅ０／Ｐｗ０となるように試し書きに使用する記録条件を設定し、試し書きを行い、試し書きされた情報を再生し、再生信号が所望の条件を満たさない場合は、記録パワーと消去パワーの比をＰｅ０／Ｐｗ０から変化させて試し書きに使用する記録条件を設定する。
【０１２８】
それゆえ、一定比を保ちながら記録パワーと消去パワーを変化させて試し書きを行い、再生信号が所望の条件を満たさない場合、例えば、ジッタがある閾値より悪いといった再生信号が所望の条件を満たさない場合、記録パワーと消去パワーの比を変化させるために消去パワーの値を設定しなおして試し書きを行う。
【０１２９】
このとき、設定した記録パワーＰｗが標準記録パワーであるＰｗ０より大きい場合は、記録パワーと消去パワーの比が、Ｐｅ０／Ｐｗ０より小さくなるように消去パワーを設定し、また、設定した記録パワーＰｗが標準記録パワーＰｗ０より小さい場合は、記録パワーと消去パワーの比が、Ｐｅ０／Ｐｗ０より大きくなるように消去パワーを設定することによって、再生信号品質の悪化を低減することができるという効果を奏する。
【０１３０】
また、前記所望の条件を満たさないとは、再生信号品質が所望値よりも悪いことを示す。それゆえ、ジッタ及びエラーレート等の再生信号品質を表すものは、光ディスクのシステムマージンを規定する指標となっていることが多く、記録状態をその光ディスクのマージン規定の閾値と合致させることができるという効果を奏する。
【０１３１】
また、前記所望の条件を満たさないとは、再生信号振幅が所望値よりも小さいことを示してもよい。それゆえ、再生信号の振幅を検出することで、ジッタ及びエラーレート等の再生信号品質よりも簡単な回路構成で記録状態を検出することができるという効果を奏する。
【０１３２】
また、本発明の光記録再生装置の光記録条件設定方法は、以上のように、記録条件を変化させて、光ディスク上に試し書きを行い、試し書きされた情報を再生し、再生信号品質が良好となる記録条件を選択する光記録再生装置の光記録条件設定方法において、少なくとも一度行われた試し書きで得られた記録条件の記録パワーＰｗ１と消去パワーＰｅ１の比をＰｅ１／Ｐｗ１としたとき、記録パワーが記録パワーＰｗ１より大きい場合は記録パワーと消去パワーの比がＰｅ１／Ｐｗ１よりも小さくなるように試し書きに使用する記録条件を設定し、それ以外の場合は記録パワーと消去パワーの比がＰｅ１／Ｐｗ１となるように試し書きに使用する記録条件を設定する方法である。
【０１３３】
また、本発明の光記録再生装置の光記録条件設定方法は、以上のように、記録条件を変化させて、光ディスク上に試し書きを行い、試し書きされた情報を再生し、再生信号品質が良好となる記録条件を選択する光記録再生装置の光記録条件設定方法において、少なくとも一度行われた試し書きで得られた記録条件の記録パワーＰｗ１と消去パワーＰｅ１の比をＰｅ１／Ｐｗ１としたとき、記録パワーが記録パワーＰｗ１以上の場合は記録パワーと消去パワーの比がＰｅ１／Ｐｗ１以下になるように試し書きに使用する記録条件を設定し、それ以外の場合は記録パワーと消去パワーの比がＰｅ１／Ｐｗ１よりも大きくなるように試し書きに使用する記録条件を設定する方法である。
【０１３４】
また、本発明の光記録再生装置の光記録条件設定方法は、以上のように、記録条件を変化させて、光ディスク上に試し書きを行い、試し書きされた情報を再生し、再生信号品質が良好となる記録条件を選択する光記録再生装置の光記録条件設定方法において、少なくとも一度行われた試し書きで得られた記録条件の記録パワーＰｗ１と消去パワーＰｅ１の比をＰｅ１／Ｐｗ１としたとき、記録パワーと消去パワーの比がＰｅ１／Ｐｗ１となるように試し書きに使用する記録条件を設定し、再度試し書きを行い、試し書きされた情報を再生し、再生信号が所望の条件を満たさない場合は、記録パワーと消去パワーの比をＰｅ１／Ｐｗ１から変化させて試し書きに使用する記録条件を設定する方法である。
【０１３５】
また、本発明の光記録再生装置は、以上のように、記録条件を変化させて、光ディスク上に試し書きを行う記録条件試し書き手段と、記録条件試し書き手段により試し書きされた情報を再生し、再生信号を検出する再生信号検出手段と、再生信号品質が良好となる記録条件を選択する選択手段とを備え、上記記録条件試し書き手段は、少なくとも一度行われた試し書きで得られた記録条件の記録パワーＰｗ１と消去パワーＰｅ１の比をＰｅ１／Ｐｗ１としたとき、記録パワーが記録パワーＰｗ１より大きい場合は記録パワーと消去パワーの比がＰｅ１／Ｐｗ１より小さくなるように試し書きに使用する記録条件を設定し、それ以外の場合は記録パワーと消去パワーの比がＰｅ１／Ｐｗ１となるように試し書きに使用する記録条件を設定する。
【０１３６】
また、本発明の光記録再生装置は、以上のように、記録条件を変化させて、光ディスク上に試し書きを行う記録条件試し書き手段と、記録条件試し書き手段により試し書きされた情報を再生し、再生信号を検出する再生信号検出手段と、再生信号品質が良好となる記録条件を選択する選択手段とを備え、上記記録条件試し書き手段は、少なくとも一度行われた試し書きで得られた記録条件の記録パワーＰｗ１と消去パワーＰｅ１の比をＰｅ１／Ｐｗ１としたとき、記録パワーが記録パワーＰｗ１以上の場合は記録パワーと消去パワーの比がＰｅ１／Ｐｗ１以下になるように試し書きに使用する記録条件を設定し、それ以外の場合は記録パワーと消去パワーの比がＰｅ１／Ｐｗ１よりも大きくなるように試し書きに使用する記録条件を設定する。
【０１３７】
また、本発明の光記録再生装置は、以上のように、記録条件を変化させて、光ディスク上に試し書きを行う記録条件試し書き手段と、記録条件試し書き手段により試し書きされた情報を再生し、再生信号を検出する再生信号検出手段と、再生信号品質が良好となる記録条件を選択する選択手段とを備え、上記記録条件試し書き手段は、少なくとも一度行われた試し書きで得られた記録条件の記録パワーＰｗ１と消去パワーＰｅ１の比をＰｅ１／Ｐｗ１としたとき、記録パワーと消去パワーの比がＰｅ１／Ｐｗ１となるように試し書きに使用する記録条件を設定し、再度試し書きを行い、試し書きされた情報を再生し、再生信号が所望の条件を満たさない場合は、記録パワーと消去パワーの比をＰｅ１／Ｐｗ１から変化させて試し書きに使用する記録条件を設定する。
【０１３８】
それゆえ、少なくとも一度行われた試し書きによって得られた記録条件を記録パワーＰｗ１と消去パワーＰｅ１としたときに、この比（＝Ｐｅ１／Ｐｗ１）を用いて、記録条件の設定を行う構成である。
【０１３９】
これにより、少なくとも一度行われた試し書きによって得られた記録条件である記録パワーＰｗ１と消去パワーＰｅ１の比を保ちながら、記録条件を変化させて試し書きを行えるため、より良好な記録条件の設定が可能となるという効果を奏する。
【０１４０】
また、本発明の光記録再生装置の光記録条件設定方法は、以上のように、標準記録条件である標準記録パワーＰｗ０と標準消去パワーＰｅ０の比をＰｅ０／Ｐｗ０としたとき、少なくとも一度行われた試し書きで得られた記録条件に対して、所定演算を加えて、好適記録条件を設定する方法において、記録パワーが標準記録パワーより大きい場合は、記録パワーと消去パワーの比がＰｅ０／Ｐｗ０よりも小さくなるように記録条件を設定する方法である。
【０１４１】
また、本発明の光記録再生装置は、上記課題を解決するために、記録条件を変化させて、光ディスク上に試し書きを行う記録条件試し書き手段と、記録条件試し書き手段により試し書きされた情報を再生し、再生信号を検出する再生信号検出手段と、再生信号品質が良好となる記録条件を選択する選択手段とを備え、上記選択手段は、標準記録条件である標準記録パワーＰｗ０と標準消去パワーＰｅ０の比をＰｅ０／Ｐｗ０としたとき、少なくとも一度行われた試し書きで得られた記録条件に対して所定演算を加えて、記録パワーが標準記録パワーより大きい場合は記録パワーと消去パワーの比がＰｅ０／Ｐｗ０よりも小さくなるように記録条件を選択する。
【０１４２】
上記の発明によれば、低い記録条件の範囲において、記録パワーと消去パワーを変化させて試し書きをして、検出した記録条件に対して各種マージンを考慮し、所定係数倍する等の所定演算を加えて好適記録条件を設定する場合は、高い記録条件において再生信号品質の悪化が生じる可能性があるという問題を有しているが、記録パワーが標準記録パワーより大きい場合は、記録パワーと消去パワーの比がＰｅ０／Ｐｗ０よりも小さくなるように記録条件を設定することにより、再生信号品質の悪化を低減することができるという効果を奏する。
【０１４３】
また、本発明の制御プログラムは、上記記載の光記録再生装置を動作させる制御プログラムであって、コンピュータを前記の各手段として機能させるものである。
【０１４４】
それゆえ、コンピュータを前記の各手段として機能させる制御プログラムを提供することができるという効果を奏する。
【０１４５】
また、本発明のコンピュータ読み取り可能な記録媒体は、上記記載の制御プログラムを記録したものである。
【０１４６】
それゆえ、制御プログラムを記録したコンピュータ読み取り可能な記録媒体を提供することができる。
【図面の簡単な説明】
【図１】本発明の光記録条件設定方法を適用する光記録再生装置としての光ディスク装置の構成を示すブロック図である。
【図２】上記光ディスク装置により情報が記録される光ディスクを示す斜視図である。
【図３】上記光ディスクへの記録情報に対応するパルス列の設定を説明するタイミングチャート（（ａ）、（ｂ））及び記録マークの平面図（ｃ）である。
【図４】上記光記録条件設定方法の実施の形態１におけるジッタ測定結果を示すグラフである。
【図５】上記光記録条件設定方法の実施の形態１における、他のジッタ測定結果を示すグラフである。
【図６】上記光記録条件設定方法に係る実施の形態１の動作例を示すフローチャートである。
【図７】上記光記録条件設定方法の実施の形態２におけるジッタ測定結果を示すグラフである。
【図８】上記光記録条件設定方法に係る実施の形態２の動作例を示すフローチャートである。
【図９】上記光記録条件設定方法の実施の形態３におけるジッタ測定結果を示すグラフである。
【図１０】上記光記録条件設定方法に係る実施の形態３の動作例を示すフローチャートである。
【図１１】上記光記録条件設定方法の実施の形態４における、再生信号振幅の測定結果を示すグラフである。
【図１２】上記光記録条件設定方法の実施の形態４における、フローチャートである。
【図１３】上記光記録条件設定方法の実施の形態５におけるジッタ測定結果を示すグラフである。
【図１４】上記光記録条件設定方法の実施の形態５における、フローチャートである。
【符号の説明】
１  光ディスク装置（光記録再生装置）
１０  光ディスク
１１  光ヘッド
１２  ピックアップ
１６  記録再生回路群
２０  制御部（記録条件試し書き手段、再生信号検出手段、選択手段）
３０  センサ
４１  設定用領域
４４  レーザビーム
【図１】
2005011406.tif 000003
【図２】
2005011406.tif 000004
【図３】
2005011406.tif 000005
【図４】
2005011406.tif 000006
【図５】
2005011406.tif 000007
【図６】
2005011406.tif 000008
【図７】
2005011406.tif 000009
【図８】
2005011406.tif 000010
【図９】
2005011406.tif 000011
【図１０】
2005011406.tif 000012
【図１１】
2005011406.tif 000013
【図１２】
2005011406.tif 000014
【図１３】
2005011406.tif 000015
【図１４】
2005011406.tif 000016